(57)【要約】【課題】レリーズタイムラグの少ない撮影装置を提供する。【解決手段】撮像装置は、被写体を照明する光を発光する発光部が取り付けられる取り付け部と、前記発光部の発光により照明された前記被写体からの光を測光する測光部と、前記測光部の測光に基づき、前記被写体の撮像に伴う前記発光部の発光量を決定する発光量決定部と、前記発光量決定部で決定した発光量で、第１の撮像における前記発光部の発光を行い、前記第１の撮像の後の第２の撮像の前に、前記第１の撮像における発光量を決定した測光を行った発光量で、前記発光部を発光して測光する制御を行う制御部と、を備える。【選択図】図１
2020177246.tif 000002
【特許請求の範囲】
【請求項１】
被写体を照明する光を発光する発光部が取り付けられる取り付け部と、
前記発光部の発光により照明された前記被写体からの光を測光する測光部と、
前記測光部の測光に基づき、前記被写体の撮像に伴う前記発光部の発光量を決定する発光量決定部と、
前記発光量決定部で決定した発光量で、第１の撮像における前記発光部の発光を行い、前記第１の撮像の後の第２の撮像の前に、前記第１の撮像における発光量を決定した測光を行った発光量で、前記発光部を発光して測光する制御を行う制御部と、
を備える撮像装置。
【請求項２】
請求項１に記載の撮像装置であって、
前記制御部は、前記発光部に第１の発光をさせた測光で、前記発光量決定部が発光量を決定できない場合は、前記発光部に、前記第１の発光の発光量とは異なる発光量の第２の発光をさせて測光する制御を行う撮像装置。
【請求項３】
請求項２に記載の撮像装置であって、
前記制御部は、前記発光部に第１の発光をさせた測光で、前記発光量決定部が発光量の決定ができる場合は、前記発光部に前記第２の発光をさせることなく、前記発光量決定部が決定した発光量で前記発光部を発光させる撮像装置。
【請求項４】
請求項２または３に記載の撮像装置であって、
前記制御部は、前記発光部による前記第１の発光の発光量を、前記第１の撮像における前記発光部の発光量を決定した測光を行った発光量とする第１制御と、前記発光部による前記第１の発光の発光量を所定の第１の発光量とする第２制御と、を行う撮像装置。
【請求項５】
請求項４に記載の撮像装置であって、
前記制御部の前記第１制御における前記第１の発光の発光量は、前記第１の発光量と、前記第１の発光量よりも大きい第２の発光量とのいずれかである撮像装置。
【請求項６】
請求項５に記載の撮像装置であって、
前記制御部は、前記第２制御において、前記発光部に前記第１の発光をさせた測光で、前記発光量決定部による発光量の決定ができない場合は、前記第２の発光量で前記第２の発光をさせて測光する制御を行う撮像装置。
【請求項７】
請求項５に記載の撮像装置であって、
前記制御部は、前記第１制御において、前記第１の発光量で前記第１の発光をさせた測光で、前記発光量決定部による発光量の決定ができない場合は、前記第２の発光量で前記第２の発光をさせて測光する制御を行い、前記第２の発光量で前記第１の発光をさせた測光で、前記発光量決定部による発光量の決定ができない場合は、前記第１の発光量で前記第２の発光をさせて測光する制御を行う撮像装置。
【請求項８】
請求項４から７のいずれか一項に記載の撮像装置であって、
前記制御部は、前記発光部で照明された前記被写体の像を複数回撮像する制御において、
撮像と撮像との時間が第１時間であると前記第１制御を行い、撮像と撮像との時間が前記第１時間より長い第２時間であると前記第２制御を行う撮像装置。
【請求項９】
請求項８に記載の撮像装置であって、
撮像の指示を行う操作部を有し、
前記制御部が前記複数回撮像する制御は、前記操作部による１度の指示で、複数回の撮像を行う制御である撮像装置。
【請求項１０】
請求項４から７のいずれか一項に記載の撮像装置であって、
前記撮像装置は前記被写体の像を形成する光学系を有し、
前記制御部は、前記光学系と前記被写体との撮影距離に応じて、前記第１制御または前記第２制御を行う撮像装置。
【請求項１１】
被写体を照明する光を発光する発光部が取り付けられる取り付け部と、
前記発光部からの光により照明された前記被写体からの光を測光する測光部と、
前記測光部の測光に基づき前記発光部の光量を決定する光量決定部と、
前記発光部を１回以上発光させ、前記測光部で測光し前記光量決定部で決定した光量で第１の撮像のために前記発光部を発光させ、前記第１の撮像の後の第２の撮像の前に前記第１の撮像を行うための光量を決定した測光を行ったときの光量で前記発光部を発光させるように制御する制御部と、
を備える撮像装置。
【請求項１２】
請求項１１に記載の撮像装置であって、
前記制御部は、１回目の発光による前記測光部の測光に基づいて前記光量決定部での光量の決定ができない場合は、前記発光部の光量を変更して、２回目の発光をさせ測光する撮像装置。
【発明の詳細な説明】
【技術分野】
【０００１】
本発明は、撮影装置に関するものである。
【背景技術】
【０００２】
従来、照明を用いて撮影を行う際に、本撮影の前に行われた予備発光（プリ発光、モニタ発光）の結果を用いて本発光量を算出する撮影装置がある。さらに、１回目の予備発光結果の受光量が所定値以下の場合、１回目よりも発光強度を大きくした２回目の予備発光を指示する撮影装置がある（特許文献１参照）。
【先行技術文献】
【特許文献】
【０００３】
【特許文献１】特開２００３−１１４４６５号公報
【発明の概要】
【発明が解決しようとする課題】
【０００４】
しかし、連写撮影時など、前回撮影したときと同じような撮影状況にも関わらず、常に複数回の予備発光を行うと、毎回のレリーズタイムラグが伸びてしまうことになる。
【０００５】
本発明の課題は、レリーズタイムラグの少ない撮影装置を提供することである。
【課題を解決するための手段】
【０００６】
本発明は、以下のような解決手段により前記課題を解決する。
【０００７】
本発明は、被写体を照明する光を発光する発光部が取り付けられる取り付け部と、前記発光部の発光により照明された前記被写体からの光を測光する測光部と、前記測光部の測光に基づき、前記被写体の撮像に伴う前記発光部の発光量を決定する発光量決定部と、前記発光量決定部で決定した発光量で、第１の撮像における前記発光部の発光を行い、前記第１の撮像の後の第２の撮像の前に、前記第１の撮像における発光量を決定した測光を行った発光量で、前記発光部を発光して測光する制御を行う制御部と、を備える撮像装置に関する。
また、本発明は、被写体を照明する光を発光する発光部が取り付けられる取り付け部と、前記発光部からの光により照明された前記被写体からの光を測光する測光部と、前記測光部の測光に基づき前記発光部の光量を決定する光量決定部と、前記発光部を１回以上発光させ、前記測光部で測光し前記光量決定部で決定した光量で第１の撮像のために前記発光部を発光させ、前記第１の撮像の後の第２の撮像の前に前記第１の撮像を行うための光量を決定した測光を行ったときの光量で前記発光部を発光させるように制御する制御部と、を備える撮像装置に関する。
【発明の効果】
【０００８】
本発明によれば、レリーズタイムラグの少ない撮影装置を提供することができる。
【図面の簡単な説明】
【０００９】
【図１】本発明によるカメラの一実施形態を示した図である。
【図２】本実施形態における各部の動作タイミングを示した図である。
【図３】カメラ制御部の動作を示すフローチャートである。
【発明を実施するための形態】
【００１０】
図１は本発明によるカメラ１の一実施形態を示した図である。以下、図面を参照して本発明の実施の形態を説明する。
図１に示すカメラ１は、カメラ本体１０と、カメラ本体１０に着脱されるレンズ鏡筒２２とを備える一眼レフデジタルスチルカメラ１である。
【００１１】
本実施形態のカメラ１は、カメラ本体１０にレンズ鏡筒２２が交換可能に装着される。
カメラ本体１０は被写体像を撮像して画像を記録するための撮影用撮像素子２１を備える。この撮影用撮像素子２１はＣＣＤやＣＭＯＳなどにより構成することができる。
撮影時にはクイックリターンミラー１１およびサブミラー２３が実線で示す撮影光路外の位置に退避してレリーズスイッチ２０が開放され、レンズ鏡筒２２の撮影光学系により撮影用撮像素子２１の受光面に被写体像が結像される。 
【００１２】
カメラ本体１０の底部には、レンズ鏡筒２２の焦点調節状態を検出するための焦点検出光学系２４と測距素子２５が設けられている。
焦点検出光学系２４は、レンズ鏡筒２２を通過した対の焦点検出用光束を測距素子２５の受光面へ導き、対の光像を結像させる。
測距素子２５は例えば対のＣＣＤラインセンサーを備え、対の光像に応じた焦点検出信号を出力する。
【００１３】
撮影前にはクイックリターンミラー１１およびサブミラー２３が破線で示すような撮影光路内の位置に設定されており、レンズ鏡筒２２からの対の焦点検出用光束はクイックリターンミラー１１のハーフミラー部を透過し、サブミラー２３により反射されて焦点検出光学系２４および測距素子２５へ導かれる。 
【００１４】
カメラ本体１０の上部にはファインダー光学系が設けられている。撮影前にはクイックリターンミラー１１およびサブミラー２３が破線で示す位置にあり、レンズ鏡筒２２からの被写体光はクイックリターンミラー１１に反射されて焦点板１２へ導かれ、焦点板１２上に被写体像が結像する。
【００１５】
液晶表示素子１３は、焦点板１２上に結像された被写体像に焦点検出エリアマークなどの情報を重畳表示するとともに、被写体像外の位置に露出値などの種々の撮影情報を表示する。焦点板１２上の被写体像はペンタダハプリズム１４および接眼レンズ１５を介して接眼窓１６へ導かれ、撮影者が被写体像を視認することができる。
【００１６】
また、カメラ本体１０上部のファインダー光学系には、（被写体追尾や）測光のために被写体像を撮像する測光センサ１９が設けられる。撮影前に焦点板１２に結像した被写体像は、ペンタダハプリズム１４、プリズム１７および結像レンズ１８を介して測光センサ１９の受光面に再結像される。測光センサ１９は被写体像に応じた画像信号を出力する。
【００１７】
測光センサ１９は比較的高解像な撮像素子であり、ＲＧＢの原色フィルターを設けることで、結像画像のＲＧＢの各色情報を得ることが可能となる。
【００１８】
カメラ本体１０には、カメラ制御部３０が設けられている。カメラ制御部３０はカメラ１の種々の制御と演算を行う。
【００１９】
レリーズスイッチ２０の全押しにより撮影が実行される場合にはクイックリターンミラー１１が実線で示す位置に回動し、被写体光はレリーズスイッチ２０を介して撮影用撮像素子２１上に結像する。
【００２０】
カメラ本体１０には内蔵または外付けの照明装置２６が備えられている。
照明装置２６は、キセノン管２９、反射板２７、及び発光制御部２８とを備える。発光制御部２８は、カメラ制御部３０からの指示によりキセノン管２９の発光制御を行う。
【００２１】
カメラ制御部３０は、レリーズスイッチ全押しにより撮影が実行される際に、クイックリターンミラー１１が点線位置にある状態にて照明装置２６に予備発光を行わせる。
カメラ制御部３０は、その予備発光時における被写体からの反射光を測光センサ１９によって受光して、その反射光量（予備発光時測光値）に基づいて本発光時の発光量を出する。
【００２２】
カメラ制御部３０は、算出した本発光量を照明装置２６の発光制御部２８に通知し、クイックリターンミラー１１を実線位置に回動させ、撮影用の露光時のタイミングで、照明装置２６に指示した発光量にて本発光を行わせる。
【００２３】
次に、図２、３に基づき、本実施形態における制御を示す。
図２は本実施形態における各部の動作タイミングを示した図である。
図３はカメラ制御部３０の動作を示すフローチャートである。
【００２４】
まず、カメラ制御部３０は、レリーズスイッチ２０を介して撮影指示が入力されると（図２のｔ１，図３のステップＳ０１，ＹＥＳ）と、所定の発光量の第１予備発光を照明装置２６に指示する。この指示により照明装置２６は第１予備発光を行う（図２のｔ２，図３のステップＳ０２）。
【００２５】
カメラ制御部３０は、第１予備発光のタイミングで、測光センサ１９にて露光を行い、第１予備発光を行った際の被写体からの反射光量を算出（測光演算）する（ステップＳ０３）。
【００２６】
次いで、第１予備発光による反射光量が本発光の発光量を決定するのに十分であったか、即ち第２予備発光が必要かどうかを判定する（ステップＳ０４）。
第２予備発光が不要な場合（ステップＳ０４，ＮＯ）はステップＳ０７へ進み、第２予備発光が必要な場合（ステップＳ０４，ＹＥＳ）はステップＳ０５へ進む。
なお、第２予備発光は、第１予備発光よりも強い発光量で行うものであり、第１予備発光において被写体からの反射光が十分な測光に不十分だった場合に、より強い第２予備発光を行うものである。
【００２７】
カメラ制御部３０は、第２予備発光が必要であると判断した場合（ステップＳ０４，ＹＥＳ）、照明装置２６に第２発光量を指示し、第２予備発光を行わせる（図２のｔ３，図３のステップＳ０５）。
第２予備発光のタイミングで測光センサ１９にて露光を行い、第２予備発光を行った際の被写体からの反射光量を算出（測光演算）する（ステップＳ０６）。
そして、第２予備発光の反射光量から本発光量を決定し、決定した本発光量を照明装置２６に通知し、撮影タイミングにて本発光を指示（図２のｔ４，図３のステップＳ０７）することで、１枚目の撮影が終了する。
【００２８】
一方、ステップＳ０４において第２予備発光は不要と判断した場合は、第１予備発光の反射光量から本発光量を決定し、決定した本発光量を照明装置２６に通知し、撮影タイミングにて本発光を指示（ステップＳ０７）することで、１枚目の撮影が終了する。
【００２９】
ステップＳ０７のあと、所定時間内に次の撮影指示がない場合（ステップＳ０８，ＮＯ）、終了する。
ステップＳ０７のあと、所定時間内に次の撮影指示があった場合（ステップＳ０８，ＹＥＳ）、連写中か否かを判定する（ステップＳ０９）。
【００３０】
連写中であると判定した場合（ステップＳ９，ＹＥＳ）は、前回の撮影時に本発光量を決定するのに使用した予備発光が、第１予備発光か第２予備発光のどちらであったかを判断する（ステップＳ１０）
【００３１】
前回、第２予備発光にて本発光量を決定した場合（ステップＳ１０，第２予備発光）、第２予備発光を行うように照明装置２６に指示を送る（図２のｔ５，図３のステップＳ１１）。
そして、第２予備発光の発光タイミングにて測光センサ１９にて露光を行い、第２予備発光を行った際の被写体からの反射光量を算出（測光演算）する（ステップＳ１２）。
【００３２】
次いで、第２予備発光による反射光量が本発光の発光量を決定するのに十分であったか、即ち第１予備発光が必要かどうかを判定する（ステップＳ１３）。
第１予備発光が不要な場合（ステップＳ１３，ＮＯ）はステップＳ１６へ進む。
第２予備発光が必要な場合（ステップＳ１３，ＹＥＳ）はステップＳ１４へ進む。
なお、第１予備発光は、第２予備発光よりも弱い発光量で行うものであり、第２予備発光において被写体からの反射光が明るすぎる場合に、弱い第１予備発光を行うものである。
【００３３】
カメラ制御部３０は、第１予備発光が不要であると判断した場合（ステップＳ１３，ＮＯ）、第２予備発光の反射光量から本発光量を決定し、決定した本発光量を照明装置２６に通知し、撮影タイミングにて本発光を指示（図２のｔ６，図３のステップＳ１６）することで、２枚目の撮影が終了する。
【００３４】
カメラ制御部３０は、第１予備発光が必要であると判断した場合（ステップＳ１３，ＹＥＳ）、照明装置２６に第１発光量を指示し、第１予備発光を行わせる（ステップＳ１４）。
第１予備発光のタイミングで、測光センサ１９にて露光を行い、第１予備発光を行った際の被写体からの反射光量を算出（測光演算）する（ステップＳ１５）。
そして、第１予備発光の反射光量から本発光量を決定し、決定した本発光量を照明装置２６に通知し、撮影タイミングにて本発光を指示（ステップＳ１６）することで、２枚目の撮影が終了する。
【００３５】
ステップＳ０９で連写中でないと判断した場合（ステップＳ９，ＮＯ）、及び前回、第１予備発光にて本発光量を決定した場合（ステップＳ１０，第１予備発光）、１枚目の撮影同様、第１予備発光を照明装置２６に指示する（ステップＳ１７）。
【００３６】
カメラ制御部３０は、第１予備発光のタイミングで、測光センサ１９にて露光を行い、第１予備発光を行った際の被写体からの反射光量を算出（測光演算）する（ステップＳ１８）。
次いで、第１予備発光による反射光量が本発光の発光量を決定するのに十分であったか、即ち第２予備発光が必要かどうかを判定する（ステップＳ１９）。
第２予備発光が不要な場合（ステップＳ１９，ＮＯ）はステップＳ２２へ進み、第２予備発光が必要な場合（ステップＳ１９，ＹＥＳ）はステップＳ２０へ進む。
【００３７】
カメラ制御部３０は、第２予備発光が必要であると判断した場合（ステップＳ２０，ＹＥＳ）、照明装置２６に第２予備発光用を指示し、第２予備発光を行わせる（ステップＳ２０）。
第２予備発光のタイミングで、測光センサ１９にて露光を行い、第２予備発光を行った際の被写体からの反射光量を算出（測光演算）する（ステップＳ２１）。
そして、第２予備発光の反射光量から本発光量を決定し、決定した本発光量を照明装置２６に通知し、撮影タイミングにて本発光を指示（ステップＳ２２）することで、２枚目の撮影が終了する。
【００３８】
一方、ステップＳ１９において第２予備発光は不要と判断した場合は、第１予備発光の反射光量から本発光量を決定し、決定した本発光量を照明装置２６に通知し、撮影タイミングにて本発光を指示（ステップＳ２２）することで、２枚目の撮影が終了する。
【００３９】
ステップＳ１６，２２のあと、ステップＳ０８に戻り、所定時間内に次の撮影指示がない場合（ステップＳ０８，ＮＯ）、終了する。
ステップＳ０７のあと、所定時間内に次の撮影指示があった場合（ステップＳ０８，ＹＥＳ）、上述のステップＳ０９以降を繰り返す。
図２のｔ７は３回目の撮影におけるＳ１１，ｔ８はＳ１３，ｔ９はＳ１６の場合に対応している。
【００４０】
以上、本実施形態によると、連写撮影時など、前回撮影したときと同じような撮影状況の場合において、前回行った予備発光をまず行い、その結果が良好であれば他の予備発光は行わない。したがって、不要な場合に複数回の予備発光を行うことがなく、レリーズタイムラグの少ない撮影を行うことができる。
【００４１】
（変形形態）
以上、説明した実施形態に限定されることなく、以下に示すような種々の変形や変更が可能であり、それらも本発明の範囲内である。
本実施形態では、連写中の場合について説明したが、他にも以下の条件の場合には同様の処理を行うことも可能である。
・前回の撮影から、所定の時間以内に今回の撮影が行われた場合
・ＡＥ（自動露出）ロック中
・ブラケット撮影中
・ＭＦ（マニュアルフォーカス）中
・シーン認識などにより、前回と同シーンと判断された場合
・被写体検出手段により、被写体位置・サイズが前回撮影時と同じと判断された場合
・前回と撮影距離が同じと判断された場合
なお、実施形態及び変形形態は、適宜組み合わせて用いることもできるが、詳細な説明は省略する。また、本発明は以上説明した実施形態によって限定されることはない。
【符号の説明】
【００４２】
１：カメラ、１０：カメラ本体、１１：クイックリターンミラー、１９：測光センサ、２０：レリーズスイッチ、２１：撮影用撮像素子、２２：レンズ鏡筒、２６：照明装置、３０：カメラ制御部
【図１】
2020177246.tif 000003
【図２】
2020177246.tif 000004
【図３】
2020177246.tif 000005